(57)【要約】【課題】  本発明は、外面の曲率が異なる構築物等に対しても利用できる巾木と当該巾木を備える足場装置の提供を目的とする。【解決手段】  巾木３が、長方形の巾木本体２０と、巾木本体２０の長手方向の両端にそれぞれ設けられた取付金具２１とを備え、取付金具２１が、巾木本体２０に対して前後に揺動自在に連結されていることで、巾木３が構築物Ａの外面の曲率に合わせて追従できることを特徴とする。【選択図】  図９
2018071062.tif 000002
【特許請求の範囲】
【請求項１】
長方形の巾木本体（２０）と、
前記巾木本体（２０）の長手方向の両端にそれぞれ設けられた取付金具（２１）とを備え、
前記取付金具（２１）が、前記巾木本体（２０）に対して正面視で前後に揺動自在に連結されている
ことを特徴とする巾木（３）。
【請求項２】
前記巾木本体（２０）が、テレスコピック構造に形成されて伸縮可能とされる
ことを特徴とする請求項１に記載の巾木（３）。
【請求項３】
構築物（Ａ）の外面に沿って離間配置された複数の足場ユニット（Ｓ１，Ｓ２）を備える足場装置（１）において、
前記複数の足場ユニット（Ｓ１，Ｓ２）間に請求項１または２に記載の巾木（３）を取り付けた
ことを特徴とする足場装置（１）。
【請求項４】
前記足場ユニット（Ｓ１，Ｓ２）は、足場本体（ＳＢ）と、前記足場本体（ＳＢ）の構築物（Ａ）側から立ち上がる固定巾木（１１）とを備え、
前記固定巾木（１１）は、長方形の固定巾木本体（１２）と、前記固定巾木本体（１２）の長手方向の両端に固定される一対の柱部材（１３）とを備え、
前記巾木（３）が前記取付金具（２１）を介して前記柱部材（１３）に取り付けられる
ことを特徴とする請求項３に記載の足場装置（１）。
【請求項５】
前記柱部材（１３）は、外周外側面から突出する上向きに湾曲したフック片（１４ｆ）を有し、
前記取付金具（２１）は、
前記巾木本体（２０）に対して前後に揺動自在に連結されるとともに、縦長の長孔（２４ｄ）とフック挿入孔（２４ｅ）が直列に並んで設けられた揺動金具（２４）と、
前記長孔（２４ｄ）よりも縦方向の長さが短い丸孔（２５ｃ）と、連通孔（２５ｄ）が直列に並んで設けられるとともに、前記丸孔（２５ｃ）と前記揺動金具（２４）の長孔（２４ｄ）を対向させた状態で挿入されたボルト（２６）により前記揺動金具（２４）に対して上下動可能に連結されたロック金具（２５）とを備え、
前記フック挿入孔（２４ｅ）と前記連通孔（２５ｄ）を介して前記フック片（１４ｆ）が挿入されて、前記ロック金具（２５）が下方向に移動した状態になると、前記フック片（１４ｆ）がロックされて前記巾木（３）が前記固定巾木（１１）に取り付けられる
ことを特徴とする請求項４に記載の足場装置（１）。
【請求項６】
前記柱部材（１３）が、前記固定巾木（１１）を前記足場本体（ＳＢ）に固定する固定機構を有し、
前記固定機構は、
下端外周に下向きに湾曲したフック（１４ｅ）が形成された外筒（１４）と、
前記外筒（１４）内に上から挿入されるボルト部材（５）と、
前記ボルト部材（５）のねじ溝に螺合されるとともに、軸方向に移動可能な内筒（１６）とを備え、
前記内筒（１６）が、前記外筒（１４）に対して回り止めされるとともに、
前記内筒（１６）の下端に、前記フック（１４ｅ）に対向するストッパ（１７）を設ける
ことを特徴とする請求項３に記載の足場装置。
【発明の詳細な説明】
【技術分野】
【０００１】
この発明は、巾木及び足場装置に関する。
【背景技術】
【０００２】
従来、外面が平面視で湾曲している構築物あるいは建築物（以下、「構築物等」という）に対しての利用に向く足場装置としては、例えば、特許文献１に示す足場装置がある。具体的には、二つの足場ユニットの足場板同士を扇状に形成された踏板を介して連結することで、足場装置全体を建築物に合わせて湾曲させることができる。
【０００３】
また、上記踏板の縁には、巾木が一体に形成されており、各足場ユニットの間にも踏板上から工具などが落下するのを防止する巾木が設けられるようになっている。
【先行技術文献】
【特許文献】
【０００４】
【特許文献１】特開２０１３−１８５３７７
【発明の概要】
【発明が解決しようとする課題】
【０００５】
上記足場装置にあっては、外面が平面視で湾曲している構築物等に沿うように足場装置を設けられる点で問題はない。
【０００６】
しかしながら、上記足場装置においては、踏板の縁に巾木が一体に形成されているため、構築物等の外面の曲率が変わると、それに合わせて都度長さの異なる巾木が一体形成された踏板を用意する必要があった。
【０００７】
そこで、本発明は、外面の曲率が異なる構築物等に対しても利用できる巾木と当該巾木を備える足場装置の提供を目的とする。
【課題を解決するための手段】
【０００８】
前記課題を解決するための手段は、長方形の巾木本体と、前記巾木本体の長手方向の両端にそれぞれ設けられた取付金具とを備え、前記取付金具が、前記巾木本体に対して前後に揺動自在に連結されていることを特徴とする。
【発明の効果】
【０００９】
本発明によれば、巾木の両端の角度を変えることで、構築物等の外面に追従できるため、外面の曲率が異なる構築物等に対しても利用できる。
【図面の簡単な説明】
【００１０】
【図１】本実施の形態に係る足場装置を示す全体斜視図である。
【図２】本実施の形態に係る固定巾木を示す正面図である。
【図３】本実施の形態に係る固定巾木の固定巾木本体を示す正面図である。
【図４】本実施の形態に係る固定巾木の柱部材を拡大して示す図であって、（Ａ）は正面図であり、（Ｂ）は平面図である。
【図５】本実施の形態に係る柱部材の外筒を示す正面図である。
【図６】本実施の形態に係る柱部材のボルト部材を示す正面図である。
【図７】本実施の形態に係る柱部材の内筒を示す正面図である。
【図８】本実施の形態に係るストッパを示す正面図である。
【図９】本実施の形態に係る巾木を示す正面図である。
【図１０】図９のＸ−Ｘ断面図である。
【図１１】図９の一部拡大図である。
【図１２】本実施の形態に係る取付金具の揺動金具を示す図であって、（Ａ）は正面図であり、（Ｂ）は横断面図である。
【図１３】本実施の形態に係る取付金具のロック金具を示す図であって、（Ａ）は正面図であり、（Ｂ）は横断面図である。
【図１４】本実施の形態に係る巾木を固定巾木に固定する状態を示す図であって、（Ａ）はロック金具によって固定巾木がロックされる前を示し、（Ｂ）は固定巾木がロックされた後を示す図である。
【発明を実施するための形態】
【００１１】
以下に、図面を参照しながら本実施の形態について説明する。各図面を通して付された同じ符号は、同じ部品を示す。
【００１２】
本実施の形態に係る巾木３は、図１に示すように、足場装置１に適用される。本実施の形態に係る足場装置１は、図１に示すように、構築物Ａの外面に沿って離間配置された複数の足場ユニットＳ１，Ｓ２と、各足場ユニットＳ１，Ｓ２の間に架け渡される踏板２と、複数の足場ユニットＳ１，Ｓ２間に取り付けられた巾木３とを備える。
【００１３】
なお、図１では、足場装置１を構成する足場が２つしか図示されていないが、３つ以上であってもよく、その場合には同様の構造が連続する。
【００１４】
以下、足場装置１の各部について詳細に説明する。図１に示すように、本実施の形態に係る足場ユニットＳ１（Ｓ２）は、足場本体ＳＢと、足場本体ＳＢの構築物Ａ側に設けられた手摺１０と、足場本体ＳＢの構築物Ａ側から立ち上がる固定巾木１１とを備える。
【００１５】
本例の足場本体ＳＢは、枠体である一対の建枠５，５の上端に足場板６が架け渡されて形成される本体部７と、本体部７に連結されて足場板６を構築物Ａ側に向けて延長する延長部９とを備えて構成される。
【００１６】
建枠５は、図１に示すように、構築物Ａの外面に向けて前後に直列する一対の縦支柱５ａ，５ａと、縦支柱５ａ，５ａの上端を繋ぐ横材５ｂとを備えて門型に形成されている。また、各建枠５，５のそれぞれ対向する縦支柱５ａ，５ａ間にはブレース８が架け渡されており、本体部７の変形が防止されている。
【００１７】
延長部９は、縦材９ａと、縦材９ａの上端に連結された横材９ｂと、縦材９ａの下端と横材９ｂの一端に架け渡される補強材９ｄからなる一対の直角三角形状のフレームＦを備え、各フレームＦの横材９ｂ，９ｂ間に板材９ｃが架け渡されて構成されている。
【００１８】
そして、板材９ｃの高さ位置を本体部７の足場板６の高さ位置に合わせつつ、縦材８ａ，８ａを本体部７の構築物Ａ側の縦支柱５ａ，５ａに連結することで、延長部９は、本体部７に連結されている。
【００１９】
これにより、本例の足場ユニットＳ１（Ｓ２）では、作業足場が板材９ｃの長さ分だけ本体部７からせり出すため、構築物Ａと足場ユニットＳ１（Ｓ２）との間に障害物があったとしても、構築物Ａに対して作業できる。
【００２０】
なお、本例においては、足場本体ＳＢは、延長部９を備えているが、構築物Ａとの間に障害物がなければ、延長部９を省略してもよい。
【００２１】
また、上述したように、足場本体ＳＢの構築物Ａ側には、手摺１０と、固定巾木１１が固定されている。具体的には、本例の手摺１０は、図１に示すように、一対の縦パイプ材１０ａ，１０ａと、縦パイプ材１０ａ，１０ａの上端部同士と中間部同士をそれぞれ繋ぐ２本の横パイプ材１０ｂ，１０ｂによって構成されており、縦パイプ材１０ａ，１０ａの下端がそれぞれ連結クランプ（符示せず）を介して延長部９の横材９ｂの構築物Ａ側端に固定されている。
【００２２】
また、固定巾木１１は、図２に示すように、長方形の固定巾木本体１２と、固定巾木本体１２の長手方向の両端である図中左右端に固定された一対の柱部材１３，１３を備える。
【００２３】
固定巾木本体１２には、図３に示すように、図中左側と右側の上下に２つ直列に並んでボルト孔１２ａ，１２ａが設けられている。また、固定巾木本体１２の上端には、図中左右のボルト孔１２ａ，１２ａ間の距離と同程度の幅のＬ字状の補強部１２ｂが設けられている。
【００２４】
本例では、柱部材１３は、固定巾木１１を足場本体ＳＢに固定する固定機構を構成している。具体的には、固定機構としての柱部材１３は、図４（Ａ）に示すように、下端外周に下向きのフック１４ｅが形成された外筒１４と、外筒１４内に上から挿入されるボルト部材１５と、ボルト部材１５のねじ溝に螺合されるナット部１６ｂを有し軸方向に移動可能な内筒１６とを備え、内筒１６の下端に外筒１４の下端外周に設けられたフック１４ｅに対向するストッパ１７を設けて構成される。
【００２５】
柱部材１３の各部について詳細に説明すると、外筒１４は、図５に示すように、断面四角状の筒部１４ａと、筒部１４ａの上端に設けられた底部１４ｂとを備え、底部１４ｂには筒部１４ａの内外を連通する挿入孔１４ｃが設けられている。また、図５に示すように、外筒１４の筒部１４ａには、筒部１４ａを径方向に貫通する孔１４ｇが設けられている。
【００２６】
また、図４（Ｂ），図５に示すように、他方の柱部材１３と対向する面である外筒１４の内側面には、平面視でＬ字状の固定片１４ｈ，１４ｈが上下に二つ設けられており、固定片１４ｈには、ボルト孔１４ｄが形成されている。ここで、固定片１４ｈ，１４ｈに設けられたボルト孔１４ｄ，１４ｄの上下の距離は固定巾木本体１２に設けられたボルト孔１２ａ，１２ａの上下の距離と等しくなっており、図４（Ａ），図４（Ｂ）に示すように、各固定片１４ｈ，１４ｈに設けられたボルト孔１４ｄとボルト孔１２ａを介してボルトナット結合することで、柱部材１３は固定巾木本体１２に固定されている。
【００２７】
また、図４（Ｂ），図５に示すように、他方の柱部材１３と対向する面の反対側の面である外筒１４の外側面の下端には、延長部９の横材９ｂの外周の曲率に沿って下向きに湾曲した二又状のフック１４ｅが設けられている。さらに、外筒１４の外周の外側面であって、フック１４ｅが設けられている部分よりも上部には、上向きに湾曲したフック片１４ｆ，１４ｆが上下に２つ突出するように設けられている。
【００２８】
ボルト部材１５は、図６に示すように、ねじ溝が設けられた軸部１５ａと、軸部１５ａの図中上端に設けられたボルトヘッド１５ｂを備える。また、軸部１５ａの図中下端には、軸部１５ａを径方向に貫通するピン孔１５ｃが設けられている。ここで、軸部１５ａは、外筒１４の底部１４ｂに設けられた挿入孔１４ｃの径よりも小径に形成されており、ボルトヘッド１５ｂは、挿入孔１４ｃの径よりも大きく形成されている。
【００２９】
内筒１６は、図７に示すように、断面四角状の筒部１６ａと、筒部１６ａの上端に一体に連結されたナット部１６ｂを備える。また、筒部１６ａの下端には、後述するストッパ１７を挿入可能なストッパ孔１６ｃが設けられている。また、筒部１６ａの上端付近には、筒部１６ａを径方向に貫通する孔１６ｄが設けられている。
【００３０】
ストッパ１７は、図８に示すように、板状であって、末端にストッパ孔１６ｃよりも大きい抜け止め部１７ａが形成されている。また、ストッパ１７の先端側には、延長部９の横材９ｂの外周の曲率に沿って湾曲する受部１７ｂと、受部１７ｂを貫通するリベット孔１７ｃが設けられている。
【００３１】
そして、図４（Ａ）に示すように、ストッパ１７をストッパ孔１６ｃに挿入してからリベット孔１７ｃにリベット１８を挿し込んで、リベット１８を塑性変形させることで、ストッパ１７は、リベット１８と抜け止め部１７ａとでストッパ孔１６ｃから抜けないようにされている。つまり、本例では、ストッパ１７は、内筒１６のストッパ孔１６ｃ内にスライド自在に保持されている。
【００３２】
次に、固定機構としての柱部材１３の組み立て方法について説明する。まず、外筒１４の底部１４ｂに設けられた挿入孔１４ｃにボルト部材１５を上から挿入する。この際、ボルト部材１５のボルトヘッド１５ｂは挿入孔１４ｃよりも大きく形成されているため、ボルトヘッド１５ｂは外筒１４の底部１４ｂに引っ掛かって、外筒１４に保持される。
【００３３】
その後、外筒１４の反底部側である下側から、内筒１６を外筒１４内に挿入するとともに、内筒１６のナット部１６ｂをボルト部材１５の軸部１５ａに設けられたねじ溝に螺合することで、内筒１６がボルト部材１５にネジ結合される。
【００３４】
さらに、図４（Ａ）に示すように、軸部１５ａの下端に設けられたピン孔１５ｃには、外筒１４の筒部１４ａと内筒１６の筒部１６ａとにそれぞれ設けられた孔１４ｇ，１６ｄを介して、ピン１９が挿入されており、内筒１６がボルト部材１５から脱落しないようになっている。
【００３５】
次に、固定機構としての柱部材１３によって固定巾木１１を足場本体ＳＢに取り付ける方法を説明する。まず、延長部９の横材９ｂ，９ｂに各固定機構のフック１４ｅを引っ掛けて、固定巾木１１を延長部９の横材９ｂ，９ｂに仮固定する。
【００３６】
ここで、内筒１６の筒部１６ａが断面四角状に形性されることで、内筒１６は外筒１４に対して回り止めされている。そのため、ボルト部材１５と内筒１６とで送りねじ機構を構成しており、ボルト部材１５を締め付け方向に回転させた場合には、内筒１６はナット部１６ｂを介して図４（Ａ）中上方向に移動し、反対にボルト部材１５を緩める方向に回転させた場合には、内筒１６はナット部１６ｂを介して図４（Ａ）中下方向に移動する。なお、本例では、内筒１６ａを断面四角柱状に形成することで内筒１６の外筒１４に対しての回り止めを行っているが、他の手段で回り止めがされてもよい。
【００３７】
したがって、内筒１６の下端に保持されたストッパ１７をスライドさせて、受部１７ｂを図４（Ａ）中に実線で示すように、フック１４ｅに対向させた状態で、ボルト部材１５を締め付け方向に回転させると、送りねじ機構によりストッパ１７が持ち上げられてフック１４ｅとストッパ１７とで延長部９の横材９ｂを挟持できるため、固定巾木１１を足場本体ＳＢに強固に取り付けできる。
【００３８】
この際、フック１４ｅとストッパ１７の受部１７ｂは、横材９ｂの曲率に沿って湾曲しているため、固定巾木１１が横方向に移動して外れてしまう心配がない。
【００３９】
なお、本例では、固定巾木１１は、足場本体ＳＢの延長部９に取り付けられているが、延長部９を省略した場合にあっては、本体部７の横材５ｂをフック１４ｅとストッパ１７とで挟持して、固定巾木１１を本体部７に取り付けるようにしてもよい。
【００４０】
次に、複数の足場ユニットＳ１，Ｓ２間に巾木３を取り付ける構造について詳細に説明する。巾木３は、図９に示すように、長方形の巾木本体２０と、巾木本体２０の長手方向の両端である左右端にそれぞれ設けられた取付金具２１とを備える。
【００４１】
また、本例では、巾木本体２０は、大巾木２２と、大巾木２２よりも一回り小さく形成された小巾木２３の二つの部材で構成されている。
【００４２】
具体的には、大巾木２２は、長方形であって、上端部と下端部に長手方向に沿って内側に折り曲げられて形成された断面Ｌ字状の曲げ部２２ａ，２２ｂを備えて断面コ字状に形成されている。また、小巾木２３は、大巾木２２よりも一回り小さく形成されていること以外は、大巾木２２と同様の形状であって、上端部と下端部に長手方向に沿って内側に折り曲げられて形成された断面Ｌ字状の曲げ部２３ａ，２３ｂを備えて、断面コ字状に形成されている。
【００４３】
そして、図９，図１０に示すように、大巾木２２内に小巾木２３をスライド自在に挿入することで、巾木本体２０は、伸縮可能なテレスコピック構造になっている。
【００４４】
また、本例では、図９，図１０に示すように、大巾木２２の上端側曲げ部２２ａには、抜け止め金具３０が取り付けられている。
【００４５】
抜け止め金具３０は、図１１に示すように、短板部３０ａと、短板部３０ａよりも高さ方向に長い長板部３０ｂと、短板部３０ａと長板部３０ｂの一端を連結する連結板３０ｃを備えて構成される断面Ｊ字状の部材であって、短板部３０ａを大巾木２２の上端側曲げ部２２ａの先端部にリベット３１によって連結されている。
【００４６】
この際、大巾木２２の上端側曲げ部２２ａは、小巾木２３の上端側曲げ部２３ａよりも長めに形成されているため、大巾木２２の上端側曲げ部２２ａのリベット３１が挿入される位置には、小巾木２３の上端側曲げ部２３ａがなく、リベット３１が小巾木２３に干渉しないようになっている。
【００４７】
また、本例では、小巾木２３の左端には板３２が取り付けられており、小巾木２３が、図９，１０中右方向である抜け方向に大きく移動した場合であっても、抜け止め金具３０の長板部３０ｂが板３２に当接するため、小巾木２３が抜けてしまうのを防止できる。
【００４８】
戻って、取付金具２１は、図１０に示すように、縦板部２４ａと縦板部２４ａの上下端から水平に延びる一対の横板部２４ｂからなる断面コ字状の揺動金具２４と、揺動金具２４の縦板部２４ａに巾木本体２０側から取り付けられたロック金具２５を備えて構成される。
【００４９】
図１２（Ａ），（Ｂ）に示すように、揺動金具２４の横板部２４ｂ，２４ｂの先端部にはそれぞれボルト孔２４ｃ，２４ｃが設けられており、そのボルト孔２４ｃ，２４ｃを図９，図１０に示すように、曲げ部２２ａ，２２ｂ（２３ａ，２３ｂ）の上面と下面にそれぞれ設けられた孔（符示せず）に対向させた状態で、ボルト２８を挿通してナット２９で反対側から締め付けることで、揺動金具２４は巾木本体２０に連結される。
【００５０】
このようにすると、ナット２９を緩めれば、ボルト２８を軸にして揺動金具２４が巾木本体２０に対して正面視で前後に揺動できるため、取付金具２４を巾木本体２０に対して前後に揺動自在に連結できる。
【００５１】
また、揺動金具２４の縦板部２４ａには、図１２（Ａ），（Ｂ）に示すように、上から順に縦長の長孔２４ｄと２つのフック挿入孔２４ｅ，２４ｆが直列に並んで設けられている。
【００５２】
ロック金具２５は、図１３（Ａ），（Ｂ）に示すように、板状の本体部２５ａと、本体部２５ａの図１３（Ａ）中上側左右端に設けられた一対の突出板２５ｂ，２５ｂを備える。また、本体部２５ａには、上から順に長孔２４ｄの半分程度の縦方向長さの丸孔２５ｃと、フック挿入孔２４ｅと同じ大きさの連通孔２５ｄが直列に並んで設けられている。
【００５３】
そして、本例では、揺動金具２４の縦板部２４ａの巾木本体２０側の面にロック金具２５を当接させるとともに、長孔２４ｄと丸孔２５ｃを対向させた状態でボルト２６を挿通して、反対側からナット２７で締め付けることで、図１０に示すように、ロック金具２５を揺動金具２４に連結している。
【００５４】
この際、ロック金具２５に設けられた丸孔２５ｃは、揺動金具２４に設けられた長孔２４ｄよりも縦方向長さが短く形成されているため、ナット２７を緩めれば、ボルト２６は長孔２４ｄに沿って上下動できる。したがって、ロック金具２５は揺動金具２４に対して上下動可能に連結されている。
【００５５】
ただし、ナット２７でロック金具２５を締め付けずに、単に抜け止めだけをするようにして、上方向に移動させる際には手動で持ち上げて、下方向に移動する際には手を離して自重で落ちるようにしてもよい。
【００５６】
また、本例では、ロック金具２５の本体部２５ａの横幅は、揺動金具２４の縦板部２４ａの横幅と等しくされている。そのため、本体部２５ａの左右端に設けられた突出板２５ｂ，２５ｂ間に縦板部２４ａを保持できるため、ロック金具２５を揺動金具２４に固定する際の横方向の位置決めが容易にできる。
【００５７】
次に、取付金具２１を介して、巾木３を足場ユニットＳ１，Ｓ２間に取り付ける方法を説明する。まず、揺動金具２４の上側のフック挿入孔２４ｅに対して、揺動金具２４に連結されたロック金具２５に設けられた連通孔２５ｄの上下端が合う位置でロック金具２５を揺動金具２１に固定する。この状態で、足場ユニットＳ１，Ｓ２の固定巾木１１に設けられた上向きに湾曲したフック片１４ｆ，１４ｆを、図１４（Ａ）に示すように、取付金具２１の揺動金具２４に直列に並べて形成されたフック挿入孔２４ｅ，２４ｆにそれぞれ挿通する。
【００５８】
その後、ナット２７を緩めて、長孔２４ｄに沿ってロック金具２５を下に移動すると、図１４（Ｂ）に示すように、ロック金具２５がフック挿入孔２４ｅの一部を塞ぐため、フック片１４ｆが図中左側に移動して抜けようとしても、上向きに湾曲したフック片１４ｆの先端がロック金具２５に引っ掛かって、抜け止めされるロック状態になる。
【００５９】
同様の作業を巾木３の左右両方で行うことで、本実施の形態に係る巾木３は、足場ユニットＳ１，Ｓ２間に取り付けられている。
【００６０】
なお、本例では、上側のフック挿入孔２４ｆに挿入された上側のフック片１４ｆをロック金具２５でロックしているが、下側のフック挿入孔２４ｆに挿入された下側のフック片１４ｆをロック金具２５でロックするようにしてもよい。
【００６１】
以下、本実施の形態に係る巾木３と足場装置１の作用効果について説明する。
【００６２】
本実施の形態において、巾木３は、長方形の巾木本体２０と、巾木本体２０の長手方向の両端にそれぞれ設けられた取付金具２１とを備え、取付金具２１が、巾木本体２０に対して前後に揺動自在に連結されている。
【００６３】
複数の足場ユニットＳ１，Ｓ２からなる足場装置１では、構築物Ａの外面が曲面である場合、その外面の曲率に合わせて足場ユニットＳ１，Ｓ２が離間配置されるが、この構成によると、巾木３を足場ユニットＳ１，Ｓ２に取り付けする取付金具２１が揺動自在であるため、構築物Ａの外面の曲率が異なる場合にも、同じ巾木３を利用できる。
【００６４】
なお、本例では、取付金具２１を巾木本体２０に対して前後に揺動自在に連結する手段として、ボルトナット連結を採用しているが、取付金具２１が揺動自在に連結されていれば、手段は特に限定されず、例えば、ヒンジが利用されるとしてもよい。
【００６５】
また、本実施の形態においては、巾木本体２０が、テレスコピック構造に形成されて伸縮可能とされている。
【００６６】
この構成によると、取付金具２１が前後に揺動自在になっていることに加え、巾木本体２０が伸縮可能であるため、構築物Ａの外面の曲率に対しての巾木３の追従性が増して、巾木３をより様々な形状の構築物Ａに対しても利用できる。
【００６７】
なお、本例では、巾木本体２０を断面コ字状の大巾木２２と、大巾木２２よりも一回り小さい小巾木２３とで構成して、小巾木２３を大巾木２２内でスライドさせることで、巾木本体２０を伸縮するようになっているが、巾木本体２０がテレスコピック構造になっていれば形状は特に限定されず、例えば、大巾木２２と小巾木２３を断面四角状に形成して、小巾木２３が大巾木２２内をスライドするようにしてもよい。
【００６８】
また、本実施の形態に係る足場装置１においては、足場ユニットＳ１，Ｓ２が、足場本体ＳＢと、足場本体ＳＢの構築物Ａ側から立ち上がる固定巾木１１とを備え、固定巾木１１は、長方形の固定巾木本体１２と、固定巾木本体１２の長手方向の両端に固定される一対の柱部材１３とを備え、巾木３が取付金具２１を介して柱部材１３に取り付けられるようになっている。
【００６９】
この構成によると、巾木３が固定巾木１１の柱部材１３に取り付けられるため、巾木３を足場ユニットＳ１，Ｓ２間に取り付ける構造がシンプルになる。
【００７０】
また、本実施の形態に係る足場装置１においては、柱部材１３は、外周外側面から突出する上向きに湾曲したフック片１４ｆを有し、取付金具２１は、巾木本体２０に対して前後に揺動自在に連結されるとともに、縦長の長孔２４ｄとフック挿入孔２４ｅが直列に並んで設けられた揺動金具２４と、長孔２４ｄよりも縦方向の長さが短い丸孔２５ｃと、連通孔２５ｄが直列に並んで設けられるとともに、丸孔２５ｃと揺動金具２４の長孔２４ｄを対向させた状態で挿入されたボルト２６により揺動金具２４に対して上下動可能に連結されたロック金具２５とを備え、フック挿入孔２４ｅと連通孔２５ｄを介してフック片１４ｆが挿入されて、ロック金具２５が下方向に移動した状態になると、フック片１４ｆがロックされて巾木３が固定巾木１１に取り付けられるようになっている。
【００７１】
なお、本例においては、丸孔２５ｃの縦方向長さは、長孔２４ｄの半分程度の長さとされているが、長孔２４ｄよりも短ければロック金具２５を上下動させられるため、長孔２４ｄと丸孔２５ｃの縦方向長さは、ロック金具２５を移動させる距離に応じて適宜設定すればよい。
【００７２】
また、本実施の形態に係る足場装置１においては、柱部材１３が、固定巾木１１を足場本体ＳＢに固定する固定機構を有し、固定機構は、下端外周に下向きに湾曲したフック１４ｅが形成された外筒１４と、外筒１４内に上から挿入されるボルト部材１５と、ボルト部材１５のねじ溝に螺合されるとともに軸方向に移動可能な内筒１６とを備え、内筒１６が外筒１４に対して回り止めされるとともに、内筒１６の下端に、フック１４ｅに対向するストッパ１７を設けられている。
【００７３】
この構成によると、ボルト部材１５を回転させることで、ストッパ１７を有する内筒１６が軸方向に移動するため、内筒１６を上方向に移動させれば、ストッパ１７とフック１４ｅとで挟むことができる。そのため、単に固定巾木をフック１４ｅのみで引っ掛けて足場本体ＳＢに固定するよりも、強固に固定巾木１１を固定できる。さらに、本例では、固定巾木１１に巾木３を取り付けしているため、固定巾木１１が強固に固定されていれば、巾木３が外れ難くなる点でも有利である。
【００７４】
また、本例では、ストッパ１７は、内筒１６の下端にスライド自在に保持されているため、固定巾木１１を足場本体ＳＢに固定する際には、ストッパ１７をスライドするだけでよく、作業性が向上する。ただし、ストッパ１７を内筒１６の下端に保持させずに、後から挿入するとしてもよい。
【００７５】
以上、本発明の好ましい実施の形態を詳細に説明したが、特許請求の範囲から逸脱なく改造、変形及び変更ができるのは当然である。
【符号の説明】
【００７６】
１・・・足場装置、３・・・巾木、１１・・・固定巾木、１２・・・固定巾木本体、１３・・・柱部材（固定機構）、１４・・・外筒、１４ｆ・・・フック片、１５・・・ボルト部材、１６・・・内筒、１７・・・ストッパ、２０・・・巾木本体、２１・・・取付金具、２４・・・揺動金具、２４ｄ・・・長孔、２４ｅ，２４ｆ・・・フック挿入孔、２５・・・ロック金具、２５ｃ・・・丸孔、２５ｄ・・・連通孔、２６・・・ボルト、Ｓ１，Ｓ２・・・足場ユニット、ＳＢ・・・足場本体
【図１】
2018071062.tif 000003
【図２】
2018071062.tif 000004
【図３】
2018071062.tif 000005
【図４】
2018071062.tif 000006
【図５】
2018071062.tif 000007
【図６】
2018071062.tif 000008
【図７】
2018071062.tif 000009
【図８】
2018071062.tif 000010
【図９】
2018071062.tif 000011
【図１０】
2018071062.tif 000012
【図１１】
2018071062.tif 000013
【図１２】
2018071062.tif 000014
【図１３】
2018071062.tif 000015
【図１４】
2018071062.tif 000016